(57)【要約】【課題】端子金具の係止力が低下することを防止することができる端子金具の係止構造およびバルブソケットを提供すること。【解決手段】端子金具１０と、該端子金具１０の接続相手６０の少なくとも一部を内部に挿入することによって前記接続相手６０と電気的に接続するように該端子金具１０を保持収容する端子保持収容部３０と、を有し、前記端子金具１０に弾性変形可能に設けた端子側係止突起部１５を前記端子保持収容部３０に設けた保持側係止突起部３４に係止する端子金具の係止構造１であって、前記端子保持収容部３０内への前記接続相手６０の挿入部分６２によって前記端子側係止突起部１５が前記保持側係止突起部３４との係止解除方向に弾性変形することを規制する。【選択図】図１
2015115164.tif 000002
【特許請求の範囲】
【請求項１】
端子金具と、該端子金具の接続相手の少なくとも一部を内部に挿入することによって前記接続相手と電気的に接続するように該端子金具を保持収容する端子保持収容部と、を有し、前記端子金具に弾性変形可能に設けた端子側係止突起部を前記端子保持収容部に設けた保持側係止突起部に係止する端子金具の係止構造であって、
前記端子保持収容部内への前記接続相手の挿入部分によって前記端子側係止突起部が前記保持側係止突起部との係止解除方向に弾性変形することを規制する
ことを特徴とする端子金具の係止構造。
【請求項２】
前記端子側係止突起部は、
前記接続相手を前記端子保持収容部に挿入する前の弾性的に中立な状態で前記端子保持収容部の前記挿入部分の挿入空間側に突出し、かつ、前記接続相手を前記端子保持収容部に挿入した場合、前記挿入部分が前記保持側係止突起部側に突出するように押圧することによって前記保持側係止突起部と係止する
ことを特徴とする請求項１に記載の端子金具の係止構造。
【請求項３】
前記端子金具は、
前記端子保持収容部によって保持する部分となる圧入部を有し、
前記端子保持収容部は、
前記圧入部を圧入することによって前記端子金具を係止位置で保持する端子圧入保持部を有する
ことを特徴とする請求項１または２に記載の端子金属の係止構造。
【請求項４】
光源となるバルブに給電するバルブソケットであって、
請求項１、２または３に記載の端子金具の係止構造を組み込み、
前記接続相手は、
前記バルブであり、
前記端子保持収容部は、
当該バルブソケットの本体を構成するソケット本体に設ける
ことを特徴とするバルブソケット。
【発明の詳細な説明】
【技術分野】
【０００１】
本発明は、端子金具の端子側係止突起部によって端子金具を端子保持収容部内に係止する端子金具の係止構造およびバルブソケットに関する。
【背景技術】
【０００２】
従来、端子金具をコネクタあるいはバルブソケット等の端子保持収容部によって保持収容する端子金具の係止構造として、端子金具の端子側係止突起部が端子収容部の保持側係止部による係止位置にて弾性的に復元することによって、保持側係止部に係止されるものがある。
例えば、特許文献１には、端子金具の一部を切り起こして形成した係止片（端子側係止突起部）をソケット本体に設けた端子保持収容部内で係止することによって端子金具を端子保持収容部内に保持収容するバルブソケットが記載されている。
【先行技術文献】
【特許文献】
【０００３】
【特許文献１】特開２０１３−１５２８９８号公報
【発明の概要】
【発明が解決しようとする課題】
【０００４】
しかしながら、特許文献１に記載された端子金具の係止構造は、係止片（端子側係止突起部）を端子保持収容部に設けた突起部（保持側係止突起部）に係止するため、係止片（端子側係止突起部）が係止位置に向けて移動する際、突起部（保持側係止突起部）をのり越えるために突出方向とは逆方向に大きく弾性変形する必要があり、突出方向に復元するための弾性力が低下し、結果的に係止力が低下してしまうおそれがあった。
【０００５】
本発明は、上記に鑑みてなされたものであって、端子金具の係止力が低下することを防止することができる端子金具の係止構造およびバルブソケットを提供することを目的とする。
【課題を解決するための手段】
【０００６】
上述した課題を解決し、目的を達成するために、本発明の請求項１に係る端子金具の係止構造は、端子金具と、該端子金具の接続相手の少なくとも一部を内部に挿入することによって前記接続相手と電気的に接続するように該端子金具を保持収容する端子保持収容部と、を有し、前記端子金具に弾性変形可能に設けた端子側係止突起部を前記端子保持収容部に設けた保持側係止突起部に係止する端子金具の係止構造であって、前記端子保持収容部内への前記接続相手の挿入部分によって前記端子側係止突起部が前記保持側係止突起部との係止解除方向に弾性変形することを規制することを特徴とする。
【０００７】
また、本発明の請求項２に係る端子金具の係止構造は、上記の発明において、前記端子側係止突起部は、前記接続相手を前記端子保持収容部に挿入する前の弾性的に中立な状態で前記端子保持収容部の前記挿入部分の挿入空間側に突出し、かつ、前記接続相手を前記端子保持収容部に挿入した場合、前記挿入部分が前記保持側係止突起部側に突出するように押圧することによって前記保持側係止突起部と係止することを特徴とする。
【０００８】
また、本発明の請求項３に係る端子金具の係止構造は、上記の発明において、前記端子金具は、前記端子保持収容部によって保持する部分となる圧入部を有し、前記端子保持収容部は、前記圧入部を圧入することによって前記端子金具を係止位置で保持する端子圧入保持部を有することを特徴とする。
【０００９】
上述した課題を解決し、目的を達成するために、本発明の請求項４に係るバルブソケットは、光源となるバルブに給電するバルブソケットであって、上記の端子金具の係止構造を組み込み、前記接続相手は、前記バルブであり、前記端子保持収容部は、当該バルブソケットの本体を構成するソケット本体に設けることを特徴とする。
【発明の効果】
【００１０】
本発明の請求項１に係る端子金具の係止構造は、前記端子金具に弾性変形可能に設けた端子側係止突起部が前記保持側係止突起部との係止解除方向に弾性変形することを前記接続相手の挿入部分によって規制することができるので、前記端子金具の係止力が低下することを防止することができる。
【００１１】
本発明の請求項２に係る端子金具の係止構造は、前記端子側係止突起部が弾性的に中立な状態で前記端子保持収容部の前記挿入部分の挿入空間側に突出し、前記接続相手を前記端子保持収容部に挿入することによって前記挿入部分が係止位置にある前記端子金具の前記端子側係止突起部を前記保持側係止突起部側に突出させるので、前記端子金具が係止位置に移動するまでに前記端子側係止突起部が前記保持側係止突起部に接触して弾性変形せず、弾性力が劣化することを防止することができ、結果的に係止力を向上することができる。
【００１２】
本発明の請求項３に係る端子金具の係止構造は、前記接続相手を前記端子保持収容部に挿入する前であっても、前記端子金具を係止位置に保持することができる。
【００１３】
本発明の請求項４に係るバルブソケットは、請求項１、２または３に記載の端子金具の保持構造を組み込んでいるので、前記端子金具に弾性変形可能に設けた端子側係止突起部が前記保持側係止突起部との係止解除方向に弾性変形することを前記接続相手の挿入部分によって規制することができるので、端子金具の係止力が低下することを防止することができる。
【図面の簡単な説明】
【００１４】
【図１】図１は、本発明の実施例１に係る端子金具の係止構造およびバルブソケットを組み込んだ照明装置の分解斜視図である。
【図２】図２は、図（ａ）が照明装置を透過レンズ側から視た斜視図であり、図（ｂ）が照明装置を光漏れ防止カバー側から視た斜視図である。
【図３】図３は、透過レンズを取り付ける前の照明装置を光漏れ防止カバー側から視た斜視図である。
【図４】図４は、バルブを取り付けたバルブソケットの斜視図である。
【図５】図５は、バルブを取り付けたバルブソケットをバルブの挿入口側から視た正面図である。
【図６】図６は、図（ａ）が図５に示す照明装置のＡ−Ａ線断面図であり、図（ｂ）が図（ａ）の保持側係止突起部を拡大した図である。
【図７】図７は、ソケット本体を挿入口側から視た正面図である。
【図８】図８は、図（ａ）が図７に示すソケット本体のＢ−Ｂ線断面図であり、図（ｂ）が図（ａ）の保持側係止突起部周辺を拡大した図である。
【図９】図９は、図（ａ）が端子金具の斜視図であり、図（ｂ）が端子金具の正面図であり、図（ｃ）が端子金具の側面図である。
【図１０】図１０は、図（ａ）が図９に示す端子金具のＣ−Ｃ線断面図であり、図（ｂ）が図（ａ）の端子側係止突起部周辺を拡大した図である。
【図１１】図１１は、一対の端子金具の断面図であり、ソケット本体に挿入する向きで並べた状態を示す図である。
【図１２】図１２は、バルブソケットの正面図である。
【図１３】図１３は、一対の端子金具をソケット本体の各端子保持収容部に挿入する前の状態を示す図である。
【図１４】図１４は、図（ａ）が一対の端子金具が係止位置に到達した状態を示す図であり、図（ｂ）が図（ａ）の保持側係止突起部周辺を拡大した図である。
【図１５】図１５は、図（ａ）がバルブを取り付けた状態を示す図であり、図（ｂ）が図（ａ）の保持側係止突起部周辺を拡大した図である。
【図１６】図１６は、本発明の実施例２に係る照明装置の分解斜視図である。
【図１７】図１７は、バルブを取り付けたバルブソケットの斜視図である。
【図１８】図１８は、バルブを取り付けたバルブソケットをバルブの挿入口側から視た正面図である。
【図１９】図１９は、図（ａ）が図１８に示す照明装置のＤ−Ｄ線断面図であり、図（ｂ）が図（ａ）の保持側係止突起部を拡大した図である。
【図２０】図２０は、ソケット本体を挿入口側から視た正面図である。
【図２１】図２１は、図（ａ）が図２０に示すソケット本体のＥ−Ｅ線断面図であり、図（ｂ）が図（ａ）の保持側係止突起部周辺を拡大した図である。
【図２２】図２２は、図（ａ）が端子金具の斜視図であり、図（ｂ）が端子金具の正面図であり、図（ｃ）が端子金具の側面図である。
【図２３】図２３は、図（ａ）が図２２に示す端子金具のＦ−Ｆ線断面図であり、図（ｂ）が図（ａ）の端子側係止突起部周辺を拡大した図である。
【図２４】図２４は、一対の端子金具をソケット本体の各端子保持収容部に挿入する前の状態を示す図である。
【図２５】図２５は、図（ａ）が一対の端子金具が係止位置に到達する前の状態を示す図であり、図（ｂ）が図（ａ）の保持側係止突起部周辺を拡大した図である。
【図２６】図２６は、図（ａ）が一対の端子金具が係止位置に到達した状態を示す図であり、図（ｂ）が図（ａ）の保持側係止突起部周辺を拡大した図である。
【発明を実施するための形態】
【００１５】
以下、図面を参照して、本発明に係る端子金具の係止構造、バルブソケットの好適な実施例を詳細に説明する。
【実施例１】
【００１６】
図１は、本発明の実施例１に係る端子金具の係止構造１およびバルブソケット１００を組み込んだ照明装置２００の分解斜視図である。図２は、図（ａ）が照明装置２００を透過レンズ４０側から視た斜視図であり、図（ｂ）が照明装置２００を光漏れ防止カバー５０側から視た斜視図である。図３は、透過レンズ４０を取り付ける前の照明装置２００を光漏れ防止カバー５０側から視た斜視図である。図４は、バルブ６０を取り付けたバルブソケット１００の斜視図である。図５は、バルブ６０を取り付けたバルブソケット１００をバルブ６０の挿入口２１ａ側から視た正面図である。図６は、図（ａ）が図５に示す照明装置２００のＡ−Ａ線断面図であり、図（ｂ）が図（ａ）の保持側係止突起部３４を拡大した図である。図７は、ソケット本体２０をバルブ６０の挿入口２１ａ側から視た正面図である。図８は、図（ａ）が図７に示すソケット本体２０のＢ−Ｂ線断面図であり、図（ｂ）が図（ａ）の保持側係止突起部３４周辺を拡大した図である。図９は、図（ａ）が端子金具１０の斜視図であり、図（ｂ）が端子金具１０の正面図であり、図（ｃ）が端子金具１０の側面図である。図１０は、図（ａ）が図９に示す端子金具１０のＣ−Ｃ線断面図であり、図（ｂ）が図（ａ）の端子側係止突起部１５周辺を拡大した図である。図１１は、一対の端子金具１０、１０の断面図であり、ソケット本体に挿入する向きで並べた状態を示す図である。図１２は、バルブソケット１００の正面図である。
本発明の実施例１に係る端子金具の係止構造１およびバルブソケット１００は、例えば、自動車等に設置する照明装置２００に組み込むものである。この照明装置２００は、光源となるバルブ６０と、バルブソケット１００と、バルブ６０の光を装置外部に透過する透過レンズ４０と、透過レンズ４０以外からの光漏れを防止するための光漏れ防止カバー５０と、を有する。
【００１７】
まず、バルブ６０について説明する。
バルブ６０は、いわゆるウェッジベース型バルブによって実現し、図１に示すように、円柱状ガラス部材の内部に不図示のフィラメントを有する発光部６１と、陽極、および陰極の一対の不図示の端子を設けた電極部６２と、を有する。
【００１８】
次に、バルブソケット１００について説明する。
バルブソケット１００は、端子金具の係止構造を組み込んでバルブ６０に給電するものである。
端子金具の係止構造１は、端子金具１０と、端子金具１０の接続相手となるバルブ６０の少なくとも一部、すなわち電極部６２を内部に挿入することによってバルブ６０と電気的に接続するように端子金具１０を保持収容する端子保持収容部３０と、を有する。この端子金具の係止構造１は、端子金具１０に弾性変形可能に設けた端子側係止突起部１５を端子保持収容部３０に設けた保持側係止突起部３４に係止する。
なお、この実施例１のバルブソケット１００は一対の端子金具１０、１０と、各端子金具１０に対応した２つの端子保持収容部３０、３０と、を有し、２つの端子保持収容部３０、３０をバルブソケット１００の本体を構成するソケット本体２０に設ける。
【００１９】
一対の端子金具１０、１０は、いわゆるバスバーであり、導電性金属板を打ち抜き加工、および曲げ加工を施すことによって形成する。この一対の端子金具１０、１０は、図１１に示すように、互いに左右反転した状態で対向配置して各端子保持収容部３０に取り付ける。
【００２０】
端子金具１０は、ソケット本体２０に固定するとともに不図示の電線に接続する固定部１１と、この固定部１１から延びる延長部１２と、この延長部１２の先端部で幅を拡大するように設けた圧入部１３と、延長部１２の途中から折れ曲がって連接する一対の端子部１４、１４と、延長部１２の一部を片状に切り起こした端子側係止突起部１５と、を有する。
【００２１】
固定部１１は、図９の上下方向を長手方向とする板状に形成する。この固定部１１は、端子保持収容部３０内の奥側位置に配置する。
【００２２】
延長部１２は、固定部１１からクランク状に折れ曲がって挿入空間２１の挿入口２１ａ側に向けて延在する部分である。
【００２３】
圧入部１３は、端子保持収容部３０によって保持する部分である。この圧入部１３は、延長部１２の先端両側から延長部１２に対して直交する方向に延びた部分であり、圧入部１３と延長部１２とでＴ字形状を形成するようになっている。
このため、圧入部１３と端子側係止突起部１５とは端子保持収容部３０内への挿入方向に沿って並ばないようになっている。
また、圧入部１３は、一方の面に突設した位置決め突起１３ａを有し、端子金具１０を係止位置に位置決めしつつ保持するように、後述する端子圧入保持部３２に圧入する部分である。
【００２４】
一対の端子部１４、１４の各端子部１４は、延長部１２に対して折れ曲がった位置から挿入空間２１の挿入口２１ａ側に向けて片持ち片状に延びたばね部１４ａと、このばね部１４ａの先端に曲面状に曲げて形成した接点部１４ｂと、を有する。
このような一対の端子部１４、１４は、挿入空間２１に挿入したバルブ６０の電極部６２を挟持することによって電極部６２に設けた不図示の電極に電気的に接続する。
【００２５】
端子側係止突起部１５は、接続相手としてのバルブ６０を端子保持収容部３０に挿入する前の弾性的に中立な状態で端子保持収容部３０の挿入部分となる電極部６２の挿入空間２１側に突出し、かつ、バルブ６０を端子保持収容部３０に挿入した場合、電極部６２が保持側係止突起部３４側に突出するように押圧することによって保持側係止突起部３４と係止する。
より具体的には、端子側係止突起部１５は、一対の端子部１４の両接点部１４ｂの間に位置する延長部１２から片持ち片状に挿入空間２１側、かつ挿入方向奥側に向けてなだらかに傾斜するように切り起こした片状バネ部１５ａと、片状バネ部１５ａの先端を保持側係止突起部３４側に折り返して形成した係止爪部１５ｂと、を有する。
【００２６】
係止爪部１５ｂは、片状バネ部１５ａが弾性的に中立な状態で、延長部１２の保持側係止部３４側の面から突出しないように調整している。このため、保持側係止突起部３４は弾性的に中立な状態では、保持側係止突起部３４に接触しないようになっている。
【００２７】
次に、ソケット本体２０について説明する。
ソケット本体２０は、バルブソケット１００の本体を構成する部分である。このソケット本体２０は、合成樹脂等の絶縁材からなり、全体的な形状として筒状をなしている。
ソケット本体２０の内部には、光漏れ防止カバー５０を通して不図示の電線を配索し、この電線が各端子金具１０に接続することによってバルブ６０に電力を供給するようになっている。
【００２８】
このソケット本体２０は、バルブ６０の電極部６２を受け入れる挿入空間２１と、挿入空間２１の少なくとも一部を含み挿入空間２１に連続する空間を形成することによって一対の端子金具１０、１０を保持収容する一対の端子保持収容部３０、３０と、光漏れ防止カバー５０を係止するカバー係止部２２と、透過レンズ４０に係合するレンズ係合部５３ａと、を有する。
【００２９】
各端子保持収容部３０は、端子金具１０を保持側係止突起部３４による係止位置まで誘導するガイド空間３１と、端子金具１０の圧入部１３を圧入することによって端子金具１０を係止位置で保持する端子圧入保持部３２と、端子側係止突起部１５に係止する保持側係止突起部３４と、を有する。
【００３０】
ガイド空間３１は、挿入空間２１と連続する空間であり、端子金具１０を係止位置にまで誘導する空間である。
【００３１】
端子圧入保持部３２は、それぞれの端子金具１０の圧入部１３を圧入して保持するように各端子保持収容部３０に設ける。
この端子圧入保持部３２は、端子金具１０の一対の圧入部１３、１３を圧入する一対の圧入溝部３３、３３を挿入空間２１の上部および下部に設ける。
各圧入溝部３３は、挿入空間２１の挿入口２１ａ側端部から内方に向けて延びる圧入溝３３ａを有する。
挿入空間２１の上部および下部に設けた一対の圧入溝部３３、３３は、保持側係止突起部３４に干渉しないように溝深さを調整する。より具体的には、溝深さを圧入部１３の幅と略等しくなるように調整する。
【００３２】
保持側係止突起部３４は、各端子保持収容部３０の内壁面から電極部６２の挿入空間２１に突出するように設ける。
【００３３】
カバー係止部２２は、両側部を光漏れ防止カバー５０の取り付けのためのスライド移動方向に沿って直線状に延びるように突出した一対の突出ガイド側縁部２２ａ、２２ａを有し、一対の突出ガイド側縁部２２ａ、２２ａを光漏れ防止カバー５０の後述する被係止部５４の一対のガイド溝部５４ａ、５４ａに対してスライド移動しながら嵌め合わせることによって、被係止部５４と係止する。
【００３４】
透過レンズ４０は、光透過性の樹脂材からなり、曲面板状に形成されたレンズ本体４１と、このレンズ本体４１の内面に突設した第一取付部４２と、第二取付部４３と、を有する。
第一取付部４２は、ソケット本体２０の挿入空間２１の挿入口２１ａとは逆側の端部に沿って外方に突出する係止片４２ａと、ソケット本体２０のレンズ係合部２３に係合可能な一対の第一係合部４２ｂと、を有する。
第二取付部４３は、図示しない車両の内装材に係合可能なロック部４３ａと、光漏れ防止カバー５０のレンズ係合部５３ａに係合可能な一対の第二係合部４３ｂと、を有する。
【００３５】
光漏れ防止カバー５０は、合成樹脂等の絶縁材からなり、全体的な形状が略半円筒状のカバー本体部と、このカバー本体部５１の一端部に形成し、ソケット本体５１に取り付けたバルブ６０の発光部６１を覆う端面部５２と、この端面部５２よりも突出して形成した一対のフランジ部５３、５３と、を有する。
【００３６】
カバー本体部５１は、発光部６１から照射した光を透過レンズ４０に向かって反射する不図示の反射面を内面に形成し、光を透過レンズ４０から外部に効率よく照射できるようになっている。
【００３７】
また、カバー本体部５１は、ソケット本体２０の一対のカバー係止部に係止する一対の被係止部５４、５４を有する。
各被係止部５４は、カバー係止部２２の一対の突出ガイド側縁部２２ａ、２２ａと嵌め合わす一対のガイド溝部５４ａを有し、図１の上方から下方に向かって光漏れ防止カバー５０をソケット本体２０に向かって押し付け、対応するガイド溝部５４ａと突出ガイド側縁部２２ａとを嵌め合わせる。
【００３８】
各フランジ部５３は、透過レンズ４０に係合するレンズ係合部５３ａを有する。このレンズ係合部５３ａは、スライド移動することによって透過レンズ４０の各第二係合部４３ｂに係合する。
【００３９】
ここで、図１３−図１５を用いて照明装置２００の組み付け手順および各部の作用について説明する。
図１３は、一対の端子金具１０，１０をソケット本体２０の各端子保持収容部３０に挿入する前の状態を示す図である。図１４は、図（ａ）が一対の端子金具１０、１０が係止位置に到達した状態を示す図であり、図（ｂ）が図（ａ）の保持側係止突起部３４周辺を拡大した図である。図１５は、図（ａ）がバルブ６０を取り付けた状態を示す図であり、図（ｂ）が図（ａ）の保持側係止突起部３４周辺を拡大した図である。
【００４０】
まず、作業者は、一対の端子金具１０、１０をソケット本体２０の各端子保持収容部３０に挿入する（図１３、図１４参照）。
ここで、端子側係止突起部１５が挿入空間２１側に突出して保持側係止突起部３４側に突出しないようになっているため、端子金具１０が係止位置に到達するまでの挿入途中で、端子側係止突起部１５が端子保持収容部と接触することが無い。このため、端子金具１０が係止位置に到達するまでの挿入途中で端子側係止突起部１５が弾性変形しない。
また、端子金具１０が係止位置に到達すると、圧入部１３が端子圧入保持部３２の圧入溝３３ａ内に圧入し、端子金具１０の位置決め突起１３ａによって端子保持収容部３０内の係止位置に保持される。
なお、この状態では、端子圧入保持部３２が端子金具１０を係止位置に保持しているものの、端子側係止突起部１５が保持側係止突起部３４に係止していない。
【００４１】
その後、作業者は、バルブ６０をソケット本体２０に取り付ける（図１５参照）。
これにより、挿入空間２１内に挿入した電極部６２の側部６２ａが挿入空間２１側に突出した端子保持係止部１５を保持側係止突起部３４側に押圧することによって、係止爪部１５ｂが保持側係止突起部３４側に突出し、端子側係止突起部１５が保持側係止突起部３４に係止する。
また、電極部６２の側部６２ａによって端子側係止突起部１５が保持側係止突起部３４との係止解除方向に弾性変形することを規制するようになっている。
【００４２】
その後、作業者は、光漏れ防止カバー５０をソケット本体２０に取り付け、最後に、透過レンズ４０をバルブソケット１００と光漏れ防止カバー５０との組立体に取り付ける。
ここで、作業者は、光漏れ防止カバー５０の一対の被係止部５４、５４とソケット本体２０の一対のカバー係止部２２、２２とを係止する。
また、バルブソケット１００と光漏れ防止カバー５０との組立体を透過レンズ４０に対してスライド移動することによって光漏れ防止カバー５０の一対のレンズ係合部５３ａ、５３ａと、透過レンズ４０の一対の第二係合部４３ｂ、４３ｂとを係合するとともに、ソケット本体２０の一対のレンズ係合部２３、２３と、透過レンズ４０の一対の第一係合部４２ｂ、４２ｂとを係合する。
【００４３】
本発明の実施例１に係る端子金具の係止構造１は、端子金具１０に弾性変形可能に設けた端子側係止突起部１５が保持側係止突起部３４との係止解除方向に弾性変形することを接続相手としてのバルブ６０の電極部６２によって規制することができるので、端子金具１０の係止力が低下することを防止することができる。
【００４４】
また、本発明の実施例１に係る端子金具の係止構造１は、端子側係止突起部１５が弾性的に中立な状態で端子保持収容部３０の電極部６２の挿入空間２１側に突出し、バルブ６０を端子保持収容部３０に挿入することによって電極部６２が係止位置にある端子金具１０の端子側係止突起部１５を保持側係止突起部３４側に突出させるので、端子金具１０が係止位置に移動するまでに端子側係止突起部１５が保持側係止突起部３４に接触して弾性変形せず、弾性力が劣化することを防止することができ、結果的に係止力を向上することができる。
【００４５】
また、本発明の実施例１に係る端子金具の係止構造１は、バルブ６０を端子保持収容部３０に挿入する前であっても、端子金具１０を係止位置に保持することができる。
【００４６】
また、本発明の実施例１に係るバルブソケット１００は、端子金具の保持構造１を組み込んでいるので、端子金具１０に弾性変形可能に設けた端子側係止突起部１５が保持側係止突起部３４との係止解除方向に弾性変形することをバルブの電極部によって規制することができるので、端子金具１０の係止力が低下することを防止することができる。
【実施例２】
【００４７】
次に、図１６−図２３を用いて本発明の実施例２に係る端子金具の係止構造およびバルブソケットについて説明する。
図１６は、本発明の実施例２に係る照明装置４００の分解斜視図である。図１７は、バルブ６０を取り付けたバルブソケット３００の斜視図である。図１８は、バルブ６０を取り付けたバルブソケット３００をバルブ６０の挿入口２１ａ側から視た正面図である。図１９は、図（ａ）が図１８に示す照明装置４００のＤ−Ｄ線断面図であり、図（ｂ）が図（ａ）の保持側係止突起部３４を拡大した図である。図２０は、ソケット本体２０を挿入口２１ａ側から視た正面図である。図２１は、図（ａ）が図２０に示すソケット本体２０のＥ−Ｅ線断面図であり、図（ｂ）が図（ａ）の保持側係止突起部３４周辺を拡大した図である。図２２は、図（ａ）が端子金具１０の斜視図であり、図（ｂ）が端子金具１０の正面図であり、図（ｃ）が端子金具１０の側面図である。図２３は、図（ａ）が図２２に示す端子金具１０のＦ−Ｆ線断面図であり、図（ｂ）が図（ａ）の端子側係止突起部３４周辺を拡大した図である。
本発明の実施例２に係る端子金具の係止構造２およびバルブソケット３００は、端子側係止突起部１６が、弾性的に中立な状態で係止爪部１５ｂを延長部１２の保持側係止突起部３４側の面から突出している点で実施例１の端子金具の係止構造１およびバルブソケット１００と異なる。
なお、その他の構成は実施例１と同様であり、実施例１と同一構成部分には同一符号を付している。
【００４８】
本発明の実施例２に係る端子金具の係止構造２およびバルブソケット３００は、実施例１と同様に、例えば、自動車等に設置する照明装置４００に組み込むものである。この照明装置４００は、光源となるバルブ６０と、バルブソケット３００と、バルブ６０の光を装置外部に透過する透過レンズ６０と、透過レンズ６０以外からの光漏れを防止するための光漏れ防止カバー５０と、を有する。
【００４９】
端子側係止突起部１６は、一対の接点部１４ｂ、１４ｂの間に位置する延長部１２から片持ち片状に挿入空間２１側、かつ挿入方向奥側に向けてなだらかに傾斜するように切り起こした片状バネ部１５ａと、片状バネ部１５ａの先端を保持側係止突起部３４側に折り返して形成した係止爪部１５ｂと、を有する。
【００５０】
係止爪部１５ｂは、片状バネ部１５ａが弾性的に中立な状態で、延長部１２の保持側係止突起部３４側の面から突出するように調整する。すなわち、片状バネ部１５ａは、傾斜角を小さく抑えるように挿入空間２１側に切り起こすことによって、係止爪部１５ｂが保持側係止突起部３４側の面から突出するようにしている。
このため、端子側係止突起部１６は保持側係止突起部３４に係止する場合、片状バネ部１５ａが挿入空間２１側に撓むことによって、係止爪部１５ｂが保持側係止突起部３４をのりこえるようになっている。
【００５１】
ここで、図１９、および図２４−図２６を用いて照明装置の組み付け手順および各部の作用について説明する。
図２４は、一対の端子金具１０、１０をソケット本体２０の各端子保持収容部３０に挿入する前の状態を示す図である。図２５は、図（ａ）が一対の端子金具１０、１０が係止位置に到達する前の状態を示す図であり、図（ｂ）が図（ａ）の保持側係止突起部３４周辺を拡大した図である。図２６は、図（ａ）が一対の端子金具１０、１０が係止位置に到達した状態を示す図であり、図（ｂ）が図（ａ）の保持側係止突起部３４周辺を拡大した図である。
まず、作業者は、一対の端子金具１０、１０をソケット本体２０の各端子保持収容部３０に挿入開始する（図２４、図２５参照）。
ここで、端子金具１０は、係止爪部１５ｂが保持側係止突起部３４側に向けて突出しているものの、ガイド空間３１によって、保持側係止突起部３４以外の部分と接触し難い。
端子金具１０を係止位置近傍まで挿入すると、端子側係止突起部１５の係止爪部１５ｂが保持側係止突起部３４に接触する。このとき片状バネ部１５ａが挿入空間２１側に弾性的に撓むことによって、係止爪部１５ｂが保持側係止突起部３４をのり越える。
【００５２】
端子金具１０が係止位置に到達すると、端子側係止突起部１５が保持側係止突起部３４に係止する（図２６参照）。
すなわち、係止爪部１５ｂが保持側係止突起部３４をのり越え、片状バネ部１５ａが復元することによって、端子側係止突起部１５が保持側係止突起部３４に係止する。
このとき、圧入部１３が端子圧入保持部３２の圧入溝３３ａ内に圧入し、端子金具１０が端子保持収容部３０内の係止位置に保持される。
なお、端子金具１０は、端子側係止突起部１６が保持側係止突起部３４に係止しているものの、片状バネ部１５ａが挿入空間２１側に撓むことによって係止解除されやすい状態にある。
【００５３】
その後、作業者は、バルブ６０をソケット本体２０に取り付ける（図１９参照）。
これにより、電極部６２の側部６２ａによって端子側係止突起部１６が保持側係止突起部３４との係止解除方向に弾性変形することを規制するようになっている。
【００５４】
その後、作業者は、実施例１と同様に光漏れ防止カバー５０をソケット本体２０に取り付け、最後に、透過レンズ４０をバルブソケット１００と光漏れ防止カバー５０との組立体に取り付ける。
【００５５】
本発明の実施例２に係る端子金具の係止構造２およびバルブソケット３００は、実施例１の端子金具の係止構造１およびバルブソケット１００と同様に、端子金具１０に弾性変形可能に設けた端子側係止突起部１６が保持側係止突起部３４との係止解除方向に弾性変形することを接続相手としてのバルブ６０の電極部６２によって規制することができるので、端子金具１０の係止力が低下することを防止することができる。
【００５６】
なお、本発明の実施例１、２に係る端子金具の係止構造１、２は、バルブソケット１００、３００および照明装置２００、４００に組み込むものを例示したが、これに限らず、その他の部品、あるいは装置に組み込むようにしても構わない。例えば、コネクタに組み込むようにしてもよい。
【００５７】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５８】
１、２        端子金具の係止構造
１０          端子金具
１１          固定部
１２          延長部
１３          圧入部
１３ａ        位置決め突起
１４          端子部
１４ａ        ばね部
１４ｂ        接点部
１５、１６    端子側係止突起部
１５ａ        片状バネ部
１５ｂ        係止爪部
２０          ソケット本体
２１          挿入空間
２１ａ        挿入口
２２          カバー係止部
２２ａ        突出ガイド縁部
２３          レンズ係合部
３０          端子保持収容部
３１          ガイド空間
３２          端子圧入保持部
３３          圧入溝部
３３ａ        圧入溝
３４          保持側係止突起部
４０          透過レンズ
４１          レンズ本体
４２          第一取付部
４２ａ        係止片
４２ｂ        第一係合部
４３          第二取付部
４３ａ        ロック部
４３ｂ        第二係合部
５０          光漏れ防止カバー
５１          カバー本体部
５２          端面部
５３          フランジ部
５３ａ        レンズ係合部
５４          被係止部
５４ａ        ガイド溝部
６０          バルブ（接続相手）
６１          発光部
６２          電極部（挿入部分）
６２ａ        側部
１００、３００  バルブソケット
２００、４００  照明装置
【図１】
2015115164.tif 000003
【図２】
2015115164.tif 000004
【図３】
2015115164.tif 000005
【図４】
2015115164.tif 000006
【図５】
2015115164.tif 000007
【図６】
2015115164.tif 000008
【図７】
2015115164.tif 000009
【図８】
2015115164.tif 000010
【図９】
2015115164.tif 000011
【図１０】
2015115164.tif 000012
【図１１】
2015115164.tif 000013
【図１２】
2015115164.tif 000014
【図１３】
2015115164.tif 000015
【図１４】
2015115164.tif 000016
【図１５】
2015115164.tif 000017
【図１６】
2015115164.tif 000018
【図１７】
2015115164.tif 000019
【図１８】
2015115164.tif 000020
【図１９】
2015115164.tif 000021
【図２０】
2015115164.tif 000022
【図２１】
2015115164.tif 000023
【図２２】
2015115164.tif 000024
【図２３】
2015115164.tif 000025
【図２４】
2015115164.tif 000026
【図２５】
2015115164.tif 000027
【図２６】
2015115164.tif 000028